(57)【要約】      （修正有）【課題】バイパスケーブルを電気機器のバイパスケーブル接続部に簡易に接続可能とした。【解決手段】筐体１３内を２室に区画して一方の区画室１３ａに変圧器装置１５を収容した地上設置形変圧器装置１１において、変圧器装置の前面及び一側面に、変圧器装置のＵ，Ｖ，Ｗ相からなる２次側充電部を設け、前記２次側充電部の各相にそれぞれ接続導体２３を個別に接続するとともに、前記各相接続導体と変圧器装置に具備した負荷側配電線を接続する低圧分岐装置１６とを接続バー２４にて接続し、前記低圧分岐装置と接続した各相接続導体を変圧器装置の一側面側に各相毎に集結させてバイパスケーブル接続部２０を設け、各相のバイパスケーブル接続部にバイパスケーブル２１に取付けた接続コネクタ２２を接続するコネクタ接続端子部２６を各相毎に合致しない位置で形成し、バイパスケーブルをコネクタ接続端子部に接続コネクタを介して接続する。【選択図】図３
2006271013.tif 000002
【特許請求の範囲】
【請求項１】
筐体内を２室に区画して一方の区画室に変圧器装置を収容し、他方の区画室には前記変圧器装置の１次側充電部と接続した高圧機器を収容した地上設置形変圧器装置において、前記変圧器装置の前面及び一側面には、変圧器装置のＵ，Ｖ，Ｗ相からなる２次側充電部を設け、前記２次側充電部のＵ，Ｖ，Ｗ相にそれぞれ接続導体を個別に接続するとともに、前記各相接続導体と変圧器装置に具備した負荷側配電線と接続する低圧分岐装置とを接続バーにて接続し、前記低圧分岐装置と接続した各相接続導体を変圧器装置の一側面側に各相毎に集結させてバイパスケーブル接続部を設け、これら各相のバイパスケーブル接続部に、バイパスケーブルに取付けた接続コネクタを着脱自在に接続するコネクタ接続端子部を各相毎に合致しない位置に形成し、前記バイパスケーブルをコネクタ接続端子部に接続コネクタを介して接続するように構成したことを特徴とする地上設置形変圧器装置のバイパスケーブル接続装置。
【請求項２】
前記各相接続導体のコネクタ接続端子部に接続されるバイパスケーブルを接続した接続コネクタは、前記接続コネクタをコネクタ接続端子部に接続固定する締付ボルトを締付ボルト脱落防止手段により脱落不能に具備して構成したことを特徴とする請求項１記載の地上設置形変圧器装置のバイパスケーブル接続装置。
【請求項３】
前記接続コネクタに具備した締付ボルト脱落防止手段は、接続コネクタの各相コネクタ接続端子部と接触する部位に締付ボルトの取付孔より径大な凹孔を穿設し、この凹孔に遊合した平ワッシャと、前記平ワッシャに隣接して締付ボルトの取付孔より突出する締付ボルトのねじ部を有しないロッド部に前記平ワッシャと接離可能に嵌着した止輪とによって構成したことを特徴とする請求項２記載の地上設置形変圧器装置のバイパスケーブル接続装置。
【請求項４】
前記各相接続導体は、コネクタ接続端子部を備えた周辺において変圧器装置に突設した支持碍子に支承保持し、前記各相接続導体を支持する支持碍子の先端に該支持碍子と係合する係合孔を穿孔した絶縁板の前記係合孔に支持碍子の先端を係脱自在に係合させて、前記絶縁板にて各相接続導体のコネクタ接続端子部に接続した接続コネクタ及びその周辺を被覆するように構成したことを特徴とする地上設置形変圧器装置のバイパスケーブル接続装置。
【発明の詳細な説明】
【技術分野】
【０００１】
本発明は、地中配電線路に設置された地上設置形変圧器装置が故障したり、定期的に交換するような場合、新しい地上設置形変圧器装置を設置するまでの間、故障した地上設置形変圧器装置の負荷側配電線を比較的短時間停電させるだけで、前記負荷側配電線に工事用変圧器から通電を行うためのバイパスケーブルの布設を迅速・容易に行うようにした、地上設置形変圧器装置のバイパスケーブル接続装置に関するものである。
【背景技術】
【０００２】
従来から、地中配電線に設置されている地上設置形変圧器装置は、その故障等により交換を必要とする場合、例えば、図８に示すように、地中配電線（１次側）の高圧側配電線１を遮断することなく無停電の状態でバイパス路を形成し、故障等により交換を必要とする地上設置形変圧器装置２を高圧側配電線１より切り離すようにしていた（なお、故障により交換を必要とする地上設置形変圧器装置２の負荷側配電線（２次側）４より電力の供給を受けていた一般需要家側においては、前記地上設置形変圧器装置２を高圧側配電線１より切り離したときから、バイパス路を形成して通電を再開するまでの間、給電は行われず停電状態となる）。
【０００３】
そして、前記バイパス路を形成する場合は、例えば、図８に示すように、故障した地上設置形変圧器装置２において、高圧側配電線１と接続する高圧カットアウトスイッチ３を開放し、地上設置形変圧器装置２の故障した変圧器装置２ａ部分を高圧側配電線１から切り離すとともに、前記変圧器装置２ａの２次側と負荷側配電線４に接続される地上設置形変圧器装置２の低圧分岐装置２ｂとの間を接続する切換板５を解離する。この後、工事用変圧器６の２次側と、前記変圧器装置２ａの低圧分岐装置２ｂ側に設けたバイパスケーブル接続部７とをバイパスケーブル８にて接続し、つづいて、工事用変圧器６の１次側を高圧側配電線１に工事用開閉器９を介して接続した後、前記工事用開閉器９を投入することにより、故障した地上設置形変圧器装置２の低圧分岐装置２ｂ→負荷側配電線４を経て、前記工事用変圧器６からこれまで故障した地上設置形変圧器装置２にて給電されていた地域の需要家側に給電を行っていた。
【０００４】
そして、前記バイパスケーブル８を地上設置形変圧器装置２の低圧分岐装置２ｂに設けたバイパスケーブル接続部７に接続する場合は、前記バイパスケーブル接続部７に付設したリード線７ａと、バイパスケーブル８とを専用のアダプタを用いて接続していた。
【０００５】
前記専用アダプタとしては、種々の構成のものが提案されており、例えば、特許文献１に開示されているアダプタにおいては、端部内壁にねじ溝が刻設され、かつ、内部にバイパスケーブルの終端部に取付けた導体接続端子を受け入れる弾性リングを有する筒状本体部と、この筒状本体部から水平方向に延び、かつ、上面にリード線を受けるためのＶ溝を同一軸線上に形成した羽子板部と、中央部にリード線を押えるためのリード線押え用のＶ溝を形成した押さえ板とからなり、地上設置形変圧器装置の狭隘な場所に形成されているバイパスケーブル接続部に付設したリード線を羽子板部のＶ溝に嵌め込み、羽子板部の上からリード線押え用のＶ溝を備えた押え板の前記Ｖ溝によってリード線を羽子板部のＶ溝との間で挟持し、この後、羽子板部と押え板とを締付ボルトにて締着することにより、バイパスケーブルと、地上設置形変圧器装置のバイパスケーブル接続部に付設したリード線とを接続するように構成されていた（例えば、特許文献１）。
【０００６】
【特許文献１】特開平６−３４９５３５号公報
【発明の開示】
【発明が解決しようとする課題】
【０００７】
しかし、前記地上設置形変圧器装置のバイパスケーブル接続部に付設したリード線と、工事用変圧器側に設けたバイパスケーブルとを接続する前記アダプタにおいては、前記リード線をアダプタに接続する場合、その都度、アダプタ側の羽子板部と押え板とを締付けている締付ボルトを一旦取り外し、リード線を羽子板部と押え板とに形成したＶ溝に嵌め込んだ後、両部材をリード線が抜脱しないように押え付けながら、押え板の方向から締付ボルトを通して羽子板部に締着することによって、アダプタにリード線を接続するとともに、バイパスケーブル終端部の導体接続端子をアダプタの弾性リングに挿入・固定していたので、バイパスケーブルとリード線との接続作業は、非常に不安定な状態で、手間と時間をかけて行わなければならないので、非常に非効率であった。
【０００８】
また、押え板や締付ボルトは、リード線との接続に際して一旦羽子板部から取外し、リード線を羽子板部と押え板のＶ溝に係合させた後、再度押え板を締付ボルトにより羽子板部に締着するようにしていたので、リード線の接続に際しては、その都度、押え板や締付ボルトを羽子板部から一旦取外した後再び取付けるという作業を行っていたので、作業に手間が掛かるばかりでなく締付ボルトや押え板等の部品が紛失するという問題があった。
【０００９】
更に、前記アダプタはリード線をアダプタを介してバイパスケーブルと接続した後、バイパスケーブルを接続したアダプタと、当該アダプタと接続したバイパスケーブルの接続部に絶縁物を直接巻回するか、被せる等して前記アダプタと接続部とを直接外部に露呈することがない安全対策も施す必要もあるため、バイパスケーブルを故障した地上設置形変圧器装置の低圧分岐装置側に形成したバイパスケーブル接続部に接続するという作業は、非常に手間と時間や労力を要し非効率的であった。このため、地上設置形変圧器装置のバイパスケーブル接続部と、バイパスケーブルとを簡易に接続することができるバイパスケーブル接続装置の早期開発が望まれていた。
【００１０】
本発明は、前記問題点に鑑み、バイパスケーブルを電気機器のバイパス経路に迅速・容易に、かつ、安全・確実に接続することができるようにした地上設置形変圧器装置のバイパスケーブル接続装置を提供することにある。
【課題を解決するための手段】
【００１１】
本発明は、前記の問題点を解決するために、請求項１記載の発明は、筐体内を２室に区画して一方の区画室に変圧器装置を収容し、他方の区画室には前記変圧器装置の１次側充電部と接続した高圧機器を収容した地上設置形変圧器装置において、前記変圧器装置の前面及び一側面には、変圧器装置のＵ，Ｖ，Ｗ相からなる２次側充電部を設け、前記２次側充電部のＵ，Ｖ，Ｗ相にそれぞれ接続導体を個別に接続するとともに、前記各相接続導体と変圧器装置に具備した負荷ケーブルを接続する低圧分岐装置とを接続バーにて接続し、前記低圧分岐装置と接続した各相接続導体を変圧器装置の一側面側に各相毎に集結させてバイパスケーブル接続部を設け、これら各相のバイパスケーブル接続部に、バイパスケーブルに取付けた接続コネクタを着脱自在に接続するコネクタ接続端子部を各相毎に合致しない位置に形成し、前記バイパスケーブルをコネクタ接続端子部に接続コネクタを介して接続するように構成したことを特徴とする。
【００１２】
請求項２記載の発明は、請求項１記載の地上設置形変圧器装置のケーブル接続装置において、前記各相接続導体のコネクタ接続端子部に接続されるバイパスケーブルを接続した接続コネクタは、前記接続コネクタをコネクタ接続端子部に接続固定する締付ボルトを締付ボルト脱落防止手段により脱落不能に具備して構成したことを特徴とする。
【００１３】
請求項３記載の発明は、請求項２記載の地上設置形変圧器装置のケーブル接続装置において、前記接続コネクタに具備した締付ボルト脱落防止手段は、接続コネクタの各相コネクタ接続端子部と接触する部位に締付ボルトの取付孔より径大な凹孔を穿設し、この凹孔に遊合した平ワッシャと、前記平ワッシャに隣接して締付ボルトの取付孔より突出する締付ボルトのねじ部を有しないロッド部に前記平ワッシャと接離可能に嵌着した止輪とによって構成したことを特徴とする。
【００１４】
請求項４記載の発明は、請求項１記載の地上設置形変圧器装置のケーブル接続装置において、前記各相接続導体は、コネクタ接続端子部を備えた周辺において変圧器装置に突設した支持碍子に支承保持し、前記各相接続導体を支持する支持碍子の先端に該支持碍子と係合する係合孔を穿孔した絶縁板の前記係合孔に支持碍子の先端を係脱自在に係合させて、前記絶縁板にて各相接続導体のコネクタ接続端子部に接続した接続コネクタ及びその周辺を被覆するように構成したことを特徴とする。
【発明の効果】
【００１５】
請求項1記載の発明においては、地上設置形変圧器装置の低圧側の各相（Ｕ、Ｖ、Ｗ）接続導体を変圧器装置の一側面側に集結させ、これら、各相の接続導体の集結部に各相毎にコネクタ接続端子部を個別に形成し、前記個別に形成した各相のコネクタ接続部に、バイパスケーブルを接続した接続コネクタを各相毎に接続するように構成したので、従来のように、地上設置形変圧器装置の低圧側に設けたバイパスケーブル接続部に付設したリード線を、バイパスケーブルを接続したアダプタのＶ溝に下半部を嵌め込み、その上方からリード線の上半部を嵌め込むためのＶ溝を備えた押え板を被せ、両部材を両手で押さえながら不安定な状態で締付ボルトにて締着する場合と全く異なり、接続コネクタを所要のコネクタ接続端子部に締付ボルトを用いて締着するだけでよいので、バイパスケーブルと前記リード線との接続作業は、従前の狭隘な場所でアダプタを用いて不安定な状態で押えながら接続・固定している場合に比べ、バイパスケーブルに接続した接続コネクタの取付作業は狭隘な場所にもかかわらず、片手で接続コネクタをコネクタ接続端子部に押えつけながら、もう一方の手で締付ボルトを締め付けることができるため、バイパスケーブルの接続作業は、常に安定した状態で特別に労力を要することもなく、迅速・容易に、かつ、確実に行うことができるので、利便である。
【００１６】
請求項２記載の発明においては、接続コネクタに締付ボルトが脱落するのを防ぐための締付ボルト脱落防止手段が形成されているので、接続コネクタをコネクタ接続端子部に接続する場合、締付ボルトは常時接続コネクタから脱落することなく一体的に保持されているために、接続コネクタのコネクタ接続端子部への接続作業が迅速・容易に行うことができるとともに、締付ボルト自体接続コネクタに脱落防止手段によって脱落不能に保持されている関係上、バイパスケーブルの使用時保管場所からバイパスケーブルを引き出したり、使用場所まで搬送する場合においても締付ボルトは、接続コネクタと一体的に取付けられているので、バイパスケーブルの使用時に締付ボルトが紛失して、バイパスケーブルの接続作業ができなくなるという問題を確実に解消できるという利点も備えている。
【００１７】
請求項３記載の発明においては、接続コネクタの一端に締付ボルトの取付孔より径大な凹孔を設け、この凹孔に平ワッシャを遊合するとともに、平ワッシャを貫通して取付孔より突出する締付ボルトのねじ部を有しないロット部分にＣまたはＥ型に形成した止輪を挿着することにより、接続コネクタを挿通した締付ボルトが接続コネクタから抜脱しようとした場合、前記止輪が平ワッシャと衝接して前記締付ボルトの接続コネクタからの離脱を確実に阻止するように締付ボルト脱落防止手段が構成されているので、接続コネクタをコネクタ接続端子部に接続する場合、接続ボルトはコネクタ接続端子のねじ孔と位置合せを行うことにより、直ちに螺合することができるため、締付ボルトの締付作業はほぼ１動作で行うことができ至便であるとともに、バイパスケーブルの接続作業に際して締付ボルトが紛失するという問題が全くないので、締付ボルトの紛失に伴う弊害が良好に解消でき、バイパスケーブルの接続作業を簡易に行うことができる。
【００１８】
請求項４記載の発明においては、バイパスケーブルを接続コネクタを介して接続した場合、あるいは、接続する前は常に絶縁板にてコネクタ接続端子部を、例えば、透明な絶縁板にて常時被覆しているので、通電中においては感電事故等が確実に阻止することができるとともに、絶縁板はコネクタ接続端子部に突設した支持碍子を利用して係脱自在に係止することができるように形成されているので、絶縁板の着脱が迅速・容易に、かつ、安全に行うことができる利点も備えている。
【発明を実施するための最良の形態】
【００１９】
以下に、本発明の実施例を図１ないし図７によって説明する。図１ないし図３において、１１は本発明のバイパスケーブル接続装置１２を備えた地上設置形変圧器装置であり、１３はその筐体である。前記筐体１３は図１に示すように、直方体形状に形成されており、内部は隔壁１４によって長さ方向にて２室に区画されている。
【００２０】
そして、前記筐体１３の一方の区画室（図１の右側）１３ａは、他方の区画室（図１の左側）１３ｂのほぼ２倍の収容面積を備えて変圧器装置１５が収容設置されている。前記変圧器装置１５の正面（図１，２に示す区画室１３ａ側）および図２に示す一方の側面には、変圧器装置１５の２次側の充電部と電気的に接続された低圧分岐装置１６が併設されている。１７は前記低圧分岐装置１６に接続した負荷側配電線で、地上設置形変圧器装置１１の直下に設けた図示しないピットから地中配電路を経て需要家側と接続されている。
【００２１】
また、前記筐体１３の他方の区画室１３ｂは、高圧機器１８が収容設置されており、前記高圧機器１８は、一般に断路器１８ａと高圧カットアウト１８ｂとによって構成されている。高圧カットアウト１８ｂは変圧器装置１５の高圧側と接続されており、断路器１８ａには高圧側配電線１から導出された高圧ケーブル１９が接続されている。
【００２２】
次に、地上設置形変圧器装置１１の故障等により、図８に示すように、高圧側配電線１の健全区間より工事用変圧器６を通しての給電を、図３，７に示すように、バイパスケーブル２１→前記故障した地上設置形変圧器装置１１に設けたバイパスケーブル接続部２０→低圧分岐装置１６→負荷側配電線１７を介して負荷側の需要家側に通電するようにした本発明のバイパスケーブル接続装置１２の構成について説明する。
【００２３】
前記バイパスケーブル接続装置１２は大別すると、変圧器装置１５側に形成したバイパスケーブル接続部２０と、バイパスケーブル２１側に取付けた接続コネクタ２２とによって構成されている。
【００２４】
はじめに、バイパスケーブル接続部２０（以下、単に接続部２０という）について説明する。前記接続部２０は、図１，２に示すように、変圧器装置１５のＵ，Ｖ，Ｗ相からなる２次側充電部１５ａ，１５ｂ，１５ｃに、板状の導体ａ，ｂ，ｃを介して接続されて変圧器装置１５の縦方向に３段に区分して水平方向（横方向）に配設した接続導体２３ａ，２３ｂ，２３ｃのそれぞれの端部（図２参照）において、各相（Ｕ，Ｖ，Ｗ）毎に形成されている。なお、図２において、１５ｄは変圧器装置１５の中性点側に設けた充電部である。
【００２５】
前記２次側充電部１５ａ，１５ｂ，１５ｃに導体ａ，ｂ，ｃを介して接続した接続導体２３ａ，２３ｂ，２３ｃは、図１，２，５にて示すように、Ｕ，Ｖ相においては、変圧器装置１５の前面側に２条に重なって水平に併設されており、Ｗ相においては、変圧器装置１５の一側面（図２参照）に形成したＷ相の２次側充電部１５ｃに導体ｃを介して接続した状態で、変圧器装置１５の前面側に接続導体２３ｂの下側において、接続導体２３ｂと平行に配設されており、低圧分岐装置１６との接続は、図１，２に示すように、それぞれ接続バー２４ａ，２４ｂ，２４ｃを介して接続されている。
【００２６】
そして、前記接続導体２３ａ，２３ｂ，２３ｃは、接続部２０を変圧器装置１５の一側面（図２参照）に形成するために、接続導体２３ａ，２３ｂ，２３ｃ自体を変圧器装置１５の一側面側に向けて横方向に併行に配設すべく、変圧器装置１５の前面及び側面に図１，２に示すように、上下方向に３条にわたり横方向に併行に配設した接続導体２３ａ，２３ｂ，２３ｃを、各相毎にそれぞれ平面形状がＬ形となるように曲成した連結導体ｅ，ｆ，ｇ（図５参照）により相互に連結させて配設されており、前記接続部２０は、変圧器装置１５の一側面側に集結して配設された各相接続導体２３ａ，２３ｂ，２３ｃの端部（終端部）に存在している。
【００２７】
前記各相接続導体２３ａ，２３ｂ，２３ｃに設けた接続部２０には、図２に示すように、コネクタ接続端子部２６ａ，２６ｂ，２６ｃが、各相接続導体２３ａ，２３ｂ，２３ｃの表面より突出して形成されており、各相コネクタ接続端子部２６ａ，２６ｂ，２６ｃは、図２，５に示すように、各相接続導体２３ａ，２３ｂ，２３ｃにおいて、それぞれ合致することのないように突出位置を相互にずらした状態で形成されている。なお、図２において、中性点充電部１５ｄは、板状の導体ｄを介してコネクタ接続端子部２６ｄを備えた接続部２０と接続されている。
【００２８】
次に、バイパスケーブル２１に取付けた接続コネクタ２２の構造を図６により説明する。図６において、接続コネクタ２２は、バイパスケーブル２１の端末に圧着されて取付けた端子金具２２ａと、前記端子金具２２ａを取付けボルト２２ｂにて止着した端子板２２ｃと、端子板２２ｃの上部側に穿孔した取付孔２２ｄを挿通して接続部２０の各コネクタ接続端子部２６ａ，２６ｂ，２６ｃ，２６ｄに、端子板２２ｃをそれぞれ螺着する締付ボルト２２ｅと、前記端子板２２ｃのコネクタ接続端子部２６ａ，２６ｂ，２６ｃ，２６ｄとの対向面に取付孔２２ｄより径大で、かつ、同芯状に穿設した平ワッシャ２２ｆを挿入するための凹孔２２ｇと、締付ボルト２２ｅのねじ部後背部に止着したＣ型、あるいは、Ｅ型に形成された止輪２２ｈとによって構成されている。
【００２９】
前記接続コネクタ２２は、図６に示すように、常時は端子金具２２ａを介してバイパスケーブル２１に取付けられているとともに、締付ボルト２２ｅがコネクタ接続端子部２６ａ，２６ｂ，２６ｃ，２６ｄとの螺合が解かれても、止輪２２ｈに係止されて端子板２２ｃの取付孔２２ｄから抜脱しないように構成されている。
【００３０】
図４，５において、２７はバイパスケーブル２１を接続部２０に接続した場合、バイパスケーブル２１の接続部２０全体を外部より被覆する絶縁板で、例えば、透明なアクリル板によって形成されている。そして、前記絶縁板２７は、図３〜５に示すように、変圧器装置１５の側面に所定の間隔を保って取付けた取付板２８に支着されて、変圧器装置１５の一側面に配設した前記各相の接続導体２３ａ，２３ｂ，２３ｃを、それぞれ取付板２８に対して所定の間隔を保って支承保持する支持碍子２９の先端より突出するロッド３０に係脱自在に掛止保持されている。
【００３１】
即ち、各相の接続導体２３ａ，２３ｂ，２３ｃは図４，５に示すように、支持碍子２９にて取付板２８に支承保持されており、絶縁板２７には、接続導体２３ａ，２３ｃを支承保持する支持碍子２９（但し、図５に示す接続導体２３ｃの右端に取付けた支持碍子２９のみ、接続導体２３ｃに直接取付けられている）のロッド３０に螺着した係止ボルト３１の頭部を遊嵌するための係合孔３２が穿孔されており、前記絶縁板２７は、係合孔３２より係止ボルト３１を通して係合孔３２にロッド３０を係合保持させることにより、絶縁板２７は図４に示すように、ロッド３０に係脱自在に掛止されて、変圧器装置１５側面に設けたバイパスケーブル接続装置１２と、その周辺を外部から被覆するように保持される。
【００３２】
この結果、バイパスケーブル接続装置１２にバイパスケーブル２１を接続した場合、バイパスケーブル２１の接続部をはじめとする各相接続導体２３ａ，２３ｂ，２３ｃ，２３ｄを絶縁板２７の存在によって良好に被覆し、バイパスケーブル２１により電力を需要者側に給電する場合、作業員とか小動物等が誤って充電部に接触することによって発生する感電事故を良好に回避することができるものである。
【００３３】
なお、図１，２において、３３は地上設置形変圧器装置１１の前面側に取付けた第１の点検扉、３４は同じく変圧器装置１５の側面側に取付けた第２の点検扉、３５は中性点ケーブルで、中性点充電部１５ｄに連接される接続バー２４ｄと接続されて、低圧分岐装置１６の下部に横向きに配設した接続導体３５ａに接続されている。
【００３４】
次に、バイパスケーブル２１を、変圧器装置１５に設けたバイパスケーブル接続装置１２を利用して接続する場合について説明する。これは、図７に示すように、例えば、地上設置形変圧器装置１１が故障により使用できなくなった場合は、新規の地上設置形変圧器装置と交換するまでは、故障した地上設置形変圧器装置１１の２次側に設けたバイパスケーブル接続部２０に図８に示すように、一時的に工事用変圧器６にバイパスケーブル２１を用いて接続し、故障した地上設置形変圧器装置１１の需要家側に高圧地中配電線１の健全区間より、電力を工事用変圧器６を介して供給する場合のことである。
【００３５】
最初に、故障した地上設置形変圧器装置１１を高圧地中配電線１から切り離す場合について説明する。この場合は図７においてはじめに、地上設置形変圧器装置１１に設置した断路器１８ａを開路して高圧地中配電線１から地上設置形変圧器装置１１を切り離し、次に、変圧器装置１５の２次側充電部１５ａ，１５ｂ，１５ｃと低圧分岐装置１６とを接続している切換板３６（図１，２に示す本例の導体ａ，ｂ，ｃに相当するもの）を解離して、変圧器装置１５と需要家側との接続を切り離すことにより、故障した地上設置形変圧器装置１１を高圧地中配電線１より分離する。
【００３６】
前記のようにして、故障した地上設置形変圧器装置１１を高圧地中配電線１より分離したら、図８に示すように、工事用変圧器６の２次側に接続したバイパスケーブル２１を、図３に示す変圧器装置１５に設けたバイパスケーブル接続装置１２のバイパスケーブル接続部２０に接続する。この場合、図８に示す工事用変圧器６の１次側は、工事用開閉器９が開路されているので、通電は行われてはいない。
【００３７】
次に、故障した地上設置形変圧器装置１１に工事用変圧器６を接続するためのバイパスケーブル２１を接続する場合について説明する。最初に、故障した地上設置形変圧器装置１１の第２の点検扉３４を開放し、図４，５に示すように、変圧器装置１５の一側面において、バイパスケーブル接続装置１２を含む各相接続導体２３ａ，２３ｂ，２３ｃ，２３ｄからなる充電部を外部から被覆する絶縁板２７を取外す。この場合、絶縁板２７は係合孔３２が支持碍子２９の先端のロッド３０に掛止されているので、絶縁板２７を少し上方に持ち上げて係合孔３２のロッド３０との掛止を外すようにして、手前（図４の右方向）に戻すことにより絶縁板２７を取外す。
【００３８】
絶縁板２７を取外したら、バイパスケーブル２１を各相接続導体２３ａ，２３ｂ，２３ｃ，２３ｄの端部にそれぞれ形成した接続部２０に接続する。バイパスケーブル２１の接続は、該ケーブル２１の先端に端子金具２２ａを介して取付けた接続コネクタ２２を、接続部２０のコネクタ接続端子部２６ａ，２６ｂ，２６ｃ．２６ｄに接続することである。
【００３９】
バイパスケーブル２１に接続した接続コネクタ２２を、変圧器装置１５の接続導体２３ａ，２３ｂ，２３ｃ，２３ｄ端部のコネクタ接続端子部２６ａ，２６ｂ，２６ｃ，２６ｄに接続する場合は、最初に、図２に示すように、Ｕ相の接続導体２３ａに形成した接続部２０のコネクタ接続端子部２６ａに図６に示す接続コネクタ２２の端子板２２ｃを押し当てて、前記端子板２２ｃに挿通した締付けボルト２２ｅを、前記コネクタ接続端子部２６ａ，２６ｂ，２６ｃ，２６ｄのねじ孔ｈ（図６参照）に螺着することにより、バイパスケーブル２１を図３に示すように、接続コネクタ２２を介してＵ相の接続導体２３ａに接続する。なお、本例では、各相接続導体２３ａ，２３ｂ，２３ｃ，２３ｄに、前記のように、接続コネクタ２２を用いてそれぞれ２本づつバイパスケーブル２１を接続する。
【００４０】
前記のように、バイパスケーブル２１を各相接続導体２３ａ，２３ｂ，２３ｃ，２３ｄに接続する場合は、各相接続導体２３ａ，２３ｂ，２３ｃ，２３ｄに設けたコネクタ接続端子部２６ａ，２６ｂ，２６ｃ，２６ｄに、あらかじめバイパスケーブル２１に取付けた接続コネクタ２２を当接し、この接続コネクタ２２に挿通した締付けボルト２２ｅをコネクタ接続端子部２６ａ，２６ｂ，２６ｃ，２６ｄに穿設したねじ孔ｈに螺着することにより、簡単にバイパスケーブル２１の接続を行うことができる。
【００４１】
しかも、締付ボルト２２ｅ自体は、図６に示すように、端子板２２ｃの取付孔２２ｄに挿通されているものの、ねじ部後背部に止着した止輪２２ｈが、取付孔２２ｄと連通する凹孔２２ｇに嵌合した平ワッシャ２２ｆに係止されて、取付孔２２ｄから抜脱しないように取付けられているので、端子板２２ｃを各相接続導体２３ａ，２３ｂ，２３ｃ，２３ｄのコネクタ接続端子部２６ａ，２６ｂ，２６ｃ，２６ｄに当接させることにより、締付ボルト２２ｅを別に用意することなく、端子板２２ｃに脱落することなく取付けられている締付ボルト２２ｅを、直ちにコネクタ接続端子部２６ａ，２６ｂ，２６ｃ，２６ｄのねじ孔ｈに螺合することができるため、バイパスケーブル２１の接続作業（８本）は、特別に労力を要することなく迅速・容易に行うことができる。
【００４２】
前記のようにしてバイパスケーブル２１を変圧器装置１５の接続部２０に各相（Ｕ，Ｖ，Ｗ，中性点）毎に接続したら、支持碍子２９のロッド３０に絶縁板２７の係合孔３２を掛止することにより、バイパスケーブル２１を接続した接続部２０周辺を絶縁板２７にて被う。このあと、第１，第２の点検扉３３，３４を閉鎖してバイパスケーブル２１の故障した地上設置形変圧器装置１１への接続作業を終える。
【００４３】
バイパスケーブル２１の接続作業が完了したら、図８に示す工事用開閉器９を投入すると、地中配電線路の健全区間より工事用変圧器６→図３，８に示すバイパスケーブル２１→図３に示す変圧器装置１５の各相接続導体２３ａ，２３ｂ，２３ｃ，２３ｄ→負荷側配電線１７を介して需要家側に給電を行うものである。
【００４４】
そして、前記のように需要家側への給電を再開した後、故障した地上設置形変圧器装置を交換する場合は、改めて工事用開閉器９を開路した後、バイパスケーブル２１を故障した地上設置形変圧器装置１１の各相接続導体２３ａ，２３ｂ，２３ｃ，２３ｄより切り離す。この場合もバイパスケーブル２１に設けた接続コネクタ２２の締付ボルト２２ｅは、各相接続導体２３ａ，２３ｂ，２３ｃ，２３ｄのコネクタ接続端子部２６ａ，２６ｂ，２６ｃ，２６ｄのねじ孔ｈとの螺合を解いても、締付ボルト２２ｅに止着した止輪２２ｈが端子板２２ｃの凹孔２２ｄに嵌合した平ワッシャ２２ｆに係止されて締付ボルト２２ｅが端子板２２ｃの取付孔２２ｄから抜脱しないように保持しているので、接続コネクタ２２は締付ボルト２２ｅの紛失を心配することなく取扱うことができるため、バイパスケーブル２１の接続作業の簡略化と相まって、バイパスケーブル２１の接続・解離作業は、締付ボルト２２ｅの管理解消と相まって迅速・確実に行うことができ利便である。
【図面の簡単な説明】
【００４５】
【図１】本発明のバイパスケーブル接続装置を備えた地上設置形変圧器装置の内部を示す正面図である。
【図２】本発明のバイパスケーブル接続装置を備えた地上設置形変圧器装置の内部を示す側面図である。
【図３】バイパスケーブルを取付けた地上設置形変圧器装置の内部を示す側面図である。
【図４】地上設置形変圧器装置の要部を拡大して示す正面図である。
【図５】同じく要部を拡大して示す平面図である。
【図６】接続コネクタの接続状況を示す縦断面図である。
【図７】地上設置形変圧器装置の概略結線図である。
【図８】故障した地上設置形変圧器装置を利用して需要家側に給電する１実施例を示す概略説明図である。
【符号の説明】
【００４６】
２，１１  地上設置形変圧器装置
２ａ，１５  変圧器装置
１２  バイパスケーブル接続装置
２０  バイパスケーブル接続部
８，２１  バイパスケーブル
２２  接続コネクタ
２２ｃ  端子板
２２ｅ  締付ボルト
２２ｈ  止輪
２３ａ〜２３ｄ  接続導体
２６ａ〜２６ｄ  コネクタ接続端子部
２７  絶縁板
２９  支持碍子
３０  ロッド
【図１】
2006271013.tif 000003
【図２】
2006271013.tif 000004
【図３】
2006271013.tif 000005
【図４】
2006271013.tif 000006
【図５】
2006271013.tif 000007
【図６】
2006271013.tif 000008
【図７】
2006271013.tif 000009
【図８】
2006271013.tif 000010